(57)【特許請求の範囲】
【請求項１】
窓ガラスを格納する格納部ならびに前記格納部の上方に設けられた枠部を有する車両のドアに配置され、前記枠部に対して前記窓ガラスを上下方向に移動させる駆動機構と、
前記駆動機構を制御する制御部と、
前記枠部の少なくとも一部に沿って前記窓ガラスよりも車室内側に設けられた検出ラインを撮像するカメラと、を備え、
前記カメラは、少なくとも１つのレンズを含む光学系と、前記光学系によって被写体像が結像される撮像素子とを有し、
前記制御部は、前記カメラによって撮像された前記検出ラインの少なくとも一部が異物によって遮蔽された遮蔽状態を検出する検出手段と、前記駆動機構による前記窓ガラスの移動時に前記検出手段によって前記遮蔽状態が検出されたとき、前記窓ガラスによる挟み込みを防止するための挟み込み防止動作を前記駆動機構に行わせる挟み込み防止手段とを有し、
前記枠部は、前記車両の前後方向における前記格納部の後側の端部から上方に延びる後方立設部と、前記後方立設部よりも前記前後方向における前側で前記格納部から上方に延びる前方立設部と、前記後方立設部の上端部から前記前方立設部の上端部に至る上方延設部とを含み、
前記カメラは、前記格納部の車室内側に取り付けられたドアトリムに形成された孔に配置され、前記枠部の内周面に設けられた前記検出ラインを撮像し、
前記光学系は、その一部が前記ドアトリムの上面に形成された開口の上方に位置して前記開口から前記枠部と前記ドアトリムの上端部とに囲まれた空間側に突出している、
車両用窓ガラス昇降装置。
【請求項２】
前記カメラは、前記格納部から前記窓ガラスが導出される導出口の車室内側に光軸が位置するように前記光学系が配置されている、
請求項１に記載の車両用窓ガラス昇降装置。
【請求項３】
前記ドアトリムの上面に配置され、前記検出ラインに向かって赤外光を照射する光源をさらに備え、
前記カメラは、前記光源から照射されて前記検出ラインで反射した赤外光を撮像する赤外線カメラである、
請求項１又は２に記載の車両用窓ガラス昇降装置。
【請求項４】
前記制御部は、
前記窓ガラスの移動が指示された後であって前記窓ガラスの移動開始前に、前記検出手段によって前記遮蔽状態が検出されたとき、前記指示を無効とする指示無効手段をさらに備える、
請求項１乃至３の何れか１項に記載の車両用窓ガラス昇降装置。
【請求項５】
窓ガラスを格納する格納部ならびに前記格納部の上方に設けられた枠部を有する車両用ドアであって、
前記格納部の車室内側に取り付けられたドアトリムと、
前記枠部に対して前記窓ガラスを上下方向に移動させる駆動機構と、
前記駆動機構を制御する制御部と、
前記ドアトリムに形成された孔に配置され、前記枠部の少なくとも一部に沿って前記窓ガラスよりも車室内側に設けられた検出ラインを撮像するカメラと、を備え、
前記カメラは、少なくとも１つのレンズを含む光学系と、前記光学系によって被写体像が結像される撮像素子とを有し、
前記制御部は、前記カメラによって撮像された前記検出ラインの少なくとも一部が異物によって遮蔽された遮蔽状態を検出する検出手段と、前記駆動機構による前記窓ガラスの移動時に前記検出手段によって前記遮蔽状態が検出されたとき、前記窓ガラスによる挟み込みを防止するための挟み込み防止動作を前記駆動機構に行わせる挟み込み防止手段とを有し、
前記ドアトリムには、その上面に開口が形成され、
前記枠部は、車両の前後方向における前記格納部の後側の端部から上方に延びる後方立設部と、前記後方立設部よりも前記前後方向における前側で前記格納部から上方に延びる前方立設部と、前記後方立設部の上端部から前記前方立設部の上端部に至る上方延設部とを含み、
前記光学系は、その一部が前記開口の上方に位置して前記開口から前記枠部と前記ドアトリムの上端部とに囲まれた空間側に突出している、
車両用ドア。
【請求項６】
前記ドアトリムには、前記格納部から前記窓ガラスが導出される導出口よりも車室内側に前記開口が形成されている、
請求項５に記載の車両用ドア。
【請求項７】
前記ドアトリムの上面に配置され、前記検出ラインに向かって赤外光を照射する光源をさらに備え、
前記カメラは、前記光源から照射されて前記検出ラインで反射した赤外光を撮像する赤外線カメラである、
請求項５又は６に記載の車両用ドア。
【請求項８】
前記制御部は、
前記窓ガラスの移動が指示された後であって前記窓ガラスの移動開始前に、前記検出手段によって前記遮蔽状態が検出されたとき、前記指示を無効とする指示無効手段をさらに備える、
請求項５乃至７の何れか１項に記載の車両用ドア。
【請求項９】
請求項５乃至８の何れか１項に記載の車両用ドアを備えた車両。
【発明の詳細な説明】
【技術分野】
【０００１】
本発明は、車両用窓ガラス昇降装置、車両用ドア、および車両に関する。
【背景技術】
【０００２】
近年、車両には、窓ガラスの開閉操作を容易とするため、窓ガラスを自動で昇降させる車両用窓ガラス昇降装置が搭載されている。
【０００３】
車両のドアには、窓ガラスを格納する格納部と、格納部の上方に設けられた枠部と、が備えられており、車両用窓ガラス昇降装置は、枠部に対して窓ガラスを上下方向に移動させる駆動機構と、駆動機構を制御する制御部と、を備えて構成されている。
【０００４】
車両用窓ガラス昇降装置では、窓ガラスを電動で昇降させるために、窓ガラスによる挟み込みを防止する機構が設けられるのが一般的である。
【０００５】
このような機構として、窓ガラスを駆動するモータの回転数の変化を監視し、窓ガラスの上昇中に負荷が増加しモータの回転数が減少したときに、窓ガラスによる異物の挟み込みが発生したと判定し、窓ガラスの移動方向を反転させ自動で下降させる等の各種安全動作を行わせるものが知られている。
【０００６】
しかし、このような機構では、実際に異物（人体の一部等）が挟まれた後に安全動作が行われるので、人体に荷重が加わってしまうという観点から、安全性に対して問題があった。例えば、窓ガラスの上端部において車両の前後方向の端部が斜め下方に傾斜している車両では、窓ガラスの上昇中に窓ガラスと枠部との間のくさび状の空間に指等の異物が侵入した場合、安全動作が作動した場合であっても人体の一部等に大きな荷重がかかる可能性がある。さらに、このような機構では、窓ガラスの締切を挟み込みと誤検知しないように窓ガラスの締切端から例えば４ｍｍの領域が不感帯となっていることが多く、例えば、幼児の指が挟まれた際には安全動作が行われないおそれもあり、改善が望まれていた。
【０００７】
このような問題を解決した車両用窓ガラス昇降装置として、特許文献１がある。
【０００８】
特許文献１では、窓ガラスよりも車室内側で、かつ、窓ガラスよりも車両の前方側の下方にカメラを設置し、当該カメラにより撮像した画像を基に、窓ガラスによる挟み込みのおそれがある異物を検出し、窓ガラスを自動で下降させる等の各種安全動作を行わせる点が記載されている。
【０００９】
また、特許文献１では、窓枠周辺に塗布したマーカや窓枠の輪郭のエッジ等を異物判定用の特徴量として用い、特徴量として用いるマーカ等とカメラとの間に異物が介在したときに、各種安全動作を行わせる点が記載されている。
【００１０】
特許文献１のように、カメラで撮像した画像から窓ガラスに挟み込まれる可能性のある異物を検出することで、挟み込みが発生する前に安全動作を行わせることが可能になり、安全性がより向上する。
【先行技術文献】
【特許文献】
【００１１】
【特許文献１】特開２００７−１８６９１５号公報
【発明の概要】
【発明が解決しようとする課題】
【００１２】
ところで、特許文献１では、窓枠の全体、すなわち窓ガラスの移動領域の全体を検出範囲とするために、窓枠よりも車室側の位置（窓ガラスよりも車両の前方側の下方）にカメラを設置し、窓枠の全体をカメラで撮像している。そのため、特許文献１では、カメラの設置位置が、必然的に窓ガラスから離れた位置となってしまう。
【００１３】
そのため、カメラに近い領域においては、通常、異物と判断しない位置に搭乗者が存在する場合であっても、シート位置や搭乗者の体格によってはカメラとマーカ等の間に位置してしまうこととなり、実際には窓ガラスが上昇作動している際、窓ガラスによる挟み込みのおそれがないにもかかわらず、窓ガラスを自動で下降させる、あるいは窓ガラスの移動を停止させる等の安全動作が行われてしまう場合がある。昇降操作時に窓ガラスを上昇もしくは下降させることができなくなる場合もある。
【００１４】
このように、特許文献１では、通常の使用の中で、窓ガラスを閉じたいときに閉じられない、あるいは、窓ガラスを動かしたいときに動かせないといった場合があり、利便性の観点から改善が望まれる。
【００１５】
そこで、本発明は、利便性を損なうことなく、窓ガラスによる挟み込みを防止することが可能な車両用窓ガラス昇降装置、車両用ドア、および車両を提供することを目的とする。
【課題を解決するための手段】
【００１６】
本発明は、上記課題を解決することを目的として、窓ガラスを格納する格納部ならびに前記格納部の上方に設けられた枠部を有する車両のドアに配置され、前記枠部に対して前記窓ガラスを上下方向に移動させる駆動機構と、前記駆動機構を制御する制御部と、前記枠部の少なくとも一部に沿って前記窓ガラスよりも車室内側に設けられた検出ラインを撮像するカメラと、を備え、前記カメラは、少なくとも１つのレンズを含む光学系と、前記光学系によって被写体像が結像される撮像素子とを有し、前記制御部は、前記カメラによって撮像された前記検出ラインの少なくとも一部が異物によって遮蔽された遮蔽状態を検出する検出手段と、前記駆動機構による前記窓ガラスの移動時に前記検出手段によって前記遮蔽状態が検出されたとき、前記窓ガラスによる挟み込みを防止するための挟み込み防止動作を前記駆動機構に行わせる挟み込み防止手段とを有し、前記枠部は、前記車両の前後方向における前記格納部の後側の端部から上方に延びる後方立設部と、前記後方立設部よりも前記前後方向における前側で前記格納部から上方に延びる前方立設部と、前記後方立設部の上端部から前記前方立設部の上端部に至る上方延設部とを含み、前記カメラは、前記格納部の車室内側に取り付けられたドアトリムに形成された孔に配置され、前記枠部の内周面に設けられた前記検出ラインを撮像し、前記光学系は、その一部が前記ドアトリムの上面に形成された開口の上方に位置して前記開口から前記枠部と前記ドアトリムの上端部とに囲まれた空間側に突出している、車両用窓ガラス昇降装置を提供する。
【００１７】
本発明によれば、カメラの光学系が、「格納部の車室内側に取り付けられたドアトリムの上面に形成された開口に対応する位置に、光学系の光軸が開口を通るように配置されている」という構成を有することにより、窓ガラスのより近くにカメラを配置することが可能になる。その結果、異物の検知エリアを窓ガラスのより近くとして不要な検知エリアを除き、窓ガラスによる挟み込みのおそれがないにもかかわらず、挟み込み防止動作が行われてしまうといった不具合を抑制し、利便性を向上することが可能になる。また、枠部に設けられた検出ラインを監視することで、窓ガラスの移動領域の全体を検出範囲とすることが可能になる。
【００１８】
また、本発明は、上記課題を解決することを目的として、窓ガラスを格納する格納部ならびに前記格納部の上方に設けられた枠部を有する車両用ドアであって、前記格納部の車室内側に取り付けられたドアトリムと、前記枠部に対して前記窓ガラスを上下方向に移動させる駆動機構と、前記駆動機構を制御する制御部と、前記ドアトリムに形成された孔に配置され、前記枠部の少なくとも一部に沿って前記窓ガラスよりも車室内側に設けられた検出ラインを撮像するカメラと、を備え、前記カメラは、少なくとも１つのレンズを含む光学系と、前記光学系によって被写体像が結像される撮像素子とを有し、前記制御部は、前記カメラによって撮像された前記検出ラインの少なくとも一部が異物によって遮蔽された遮蔽状態を検出する検出手段と、前記駆動機構による前記窓ガラスの移動時に前記検出手段によって前記遮蔽状態が検出されたとき、前記窓ガラスによる挟み込みを防止するための挟み込み防止動作を前記駆動機構に行わせる挟み込み防止手段とを有し、前記ドアトリムには、その上面に開口が形成され、前記枠部は、車両の前後方向における前記格納部の後側の端部から上方に延びる後方立設部と、前記後方立設部よりも前記前後方向における前側で前記格納部から上方に延びる前方立設部と、前記後方立設部の上端部から前記前方立設部の上端部に至る上方延設部とを含み、前記光学系は、その一部が前記開口の上方に位置して前記開口から前記枠部と前記ドアトリムの上端部とに囲まれた空間側に突出している、車両用ドアを提供する。
【００１９】
また、本発明は、上記課題を解決することを目的として、前記車両用ドアを備えた車両を提供する。
【発明の効果】
【００２０】
本発明によれば、利便性を損なうことなく、窓ガラスによる挟み込みを防止することが可能な車両用窓ガラス昇降装置、車両用ドア、および車両を提供できる。
【図面の簡単な説明】
【００２１】
【図１】本発明の一実施の形態に係る車両用窓ガラス昇降装置の概略構成図である。
【図２】ドアを車室側の上方から見た概略図である。
【図３】ドアを車両の前方側の下方から見た概略図である。
【図４】（ａ）はカメラと検出ラインの位置関係を示す説明図、（ｂ）は（ａ）のカメラを設けた部分の拡大図である。
【図５】カメラで撮像した画像をトリミングした一例を示す図である。
【図６】検出面の位置を説明する説明図である。
【図７】車両用窓ガラス昇降装置の制御フローを示すフロー図である。
【発明を実施するための形態】
【００２２】
［実施の形態］
以下、本発明の実施の形態を、図面を参照して説明する。
【００２３】
図１は、本実施の形態に係る車両用窓ガラス昇降装置の概略構成図である。
【００２４】
図１に示すように、車両用窓ガラス昇降装置１を搭載する車両のドア（車両用ドア）２は、窓ガラス３を格納する格納部２１と、格納部２１の上方に設けられた枠部２２と、を有している。格納部２１の車室内側には、格納部２１を覆うようにドアトリム２３が取り付けられている。
【００２５】
枠部２２は、車両の前後方向における格納部２１の後側の端部から上方に延びる後方立設部２２ａと、後方立設部２２ａよりも前側で格納部２１から上方に延びる前方立設部２２ｂと、後方立設部２２ａの上端部から前方立設部２２ｂの上端部に至る上方延設部２２ｃと、からなる。窓ガラス３の全閉時には、枠部２２とドアトリム２３の上端部とに囲まれた空間に、窓ガラス３が配置されることになる。
【００２６】
車両用窓ガラス昇降装置１は、窓ガラス３を駆動する駆動機構４と、駆動機構４を制御する制御部５と、を備えている。
【００２７】
駆動機構４は、枠部２２に対して窓ガラス３を上下方向に移動させるものであり、ＤＣモータ等のモータ４１と、モータ４１の駆動力を窓ガラス３の上下方向の運動力に変換する動力変換機構４２と、を備えている。動力変換機構４２としては、例えば、窓ガラス３を支持しガイドレールに沿って摺動するキャリアプレートを備え、モータ４１の駆動力によりワイヤをガイドレールに沿って摺動させることで、ワイヤに取り付けたキャリアプレートおよび窓ガラス３をガイドレールに沿って上下方向に移動させるウインドレギュレータ等を用いることができる。また、動力変換機構４２としては、Ｘアーム式のレギュレータやその他の方式のものを用いることもできる。
【００２８】
ドア２には、窓ガラス３を開閉操作するためのスイッチ（ＳＷ）２４が設けられている。スイッチ２４の出力信号線は、制御部５に接続されている。スイッチ２４は、例えば、２段階クリック式の揺動スイッチからなり、下降側となる一端側を１段階クリックした際には下降側第１段階クリック信号、下降側となる一端側を２段階クリックした際には下降側第２段階クリック信号、上昇側となる他端側を１段階クリックした際には上昇側第１段階クリック信号、上昇側となる他端側を２段階クリックした際には上昇側第２段階クリック信号を、制御装置５に出力するように構成されている。
【００２９】
制御部５は、スイッチ２４からの信号に応じて駆動機構４を制御し、窓ガラス３を上下方向に移動させるものである。制御部５は、ＣＰＵ、メモリ、インターフェイス、ソフトウェア等を適宜組み合わせたコントロールユニットとしてドア２に搭載されている。なお、制御部５は、ドア２以外では例えば車両のミラーやシート等の制御を行う電子制御ユニット（ＥＣＵ）に、機能として搭載されていてもよい。
【００３０】
制御装置５は、スイッチ２４から下降側第１段階クリック信号が入力された際には、当該信号が入力されている間窓ガラス３を下降し、下降側第２段階クリック信号が入力された際には、窓ガラス３が最下部まで下降されるか再びスイッチ２４が操作されるまで窓ガラス３を自動的に下降するように駆動機構４を制御するように構成される。また、制御装置５は、スイッチ２４から上昇側第１段階クリック信号が入力された際には、当該信号が入力されている間窓ガラス３を上昇し、上昇側第２段階クリック信号が入力された際には、窓ガラス３が最上部まで上昇されるか再びスイッチ２４が操作されるまで窓ガラス３を自動的に上昇するように駆動機構４を制御する。
【００３１】
以下、窓ガラス３による挟み込みを防止する構成について説明する。
【００３２】
車両用窓ガラス昇降装置１は、枠部２２の少なくとも一部に沿って窓ガラス３よりも車室内側に設けられた検出ライン６を撮像するカメラ７を備えている。本実施の形態では、このカメラ７で撮像した画像を基に、窓ガラス３による挟み込みのおそれがある異物が存在するのか否かを判断することになる。カメラ７の具体的な構成、および取付位置については、後述する。
【００３３】
検出ライン６は、窓ガラス３による挟み込みのおそれがある異物が存在するのか否かを判断する基準となるものであり、窓ガラス３よりも車室内側に設定されている。検出ライン６の具体的な構成、および設定位置については、後述する。
【００３４】
また、本実施の形態では、検出ライン６に向かって赤外光を照射する光源８をさらに備えている。カメラ７は、光源８から照射されて検出ライン６で反射した赤外光を撮像する赤外線カメラから構成される。光源８を備えることで、夜間および夜間以外でも赤外線が届かない暗い場所、例えば地下駐車場等であっても、挟み込みのおそれがある異物を検出することが可能になる。光源８としては、近赤外光を照射するものを用いることができる。
【００３５】
制御部５は、カメラ７によって撮像された検出ライン６の少なくとも一部が異物によって遮蔽された遮蔽状態を検出する検出部５１と、駆動機構４による窓ガラス３の移動時に検出部５１によって遮蔽状態が検出されたとき、窓ガラス３による挟み込みを防止するための挟み込み防止動作を駆動機構４に行わせる挟み込み防止部５２と、を有している。検出部５１は、本発明の検出手段の一態様であり、挟み込み防止部５２は、本発明の挟み込み防止手段の一態様である。
【００３６】
検出部５１は、カメラ７で撮像した画像の画像処理を行い、検出ライン６を抽出する画像処理部５１ａと、画像処理部５１ａで画像処理を行った画像を基に、検出ライン６の少なくとも一部が異物によって遮蔽された遮蔽状態となっているかを判定する遮蔽判定部５１ｂと、を備えている。
【００３７】
画像処理部５１ａにおける検出ライン６を抽出する具体的な方法については、特に限定するものではないが、例えば、カメラ７で撮像した画像をトリミングして不要部分を除き、ポスタリゼーション処理もしくは２値化処理もしくはエッジ検出処理を行うことで、周囲の部材と輝度の異なる検出ライン６を抽出することができる。
【００３８】
遮蔽判定部５１ｂでは、例えば、予め遮蔽状態となっていない状態の画像（画像処理部５１ａによる画像処理後の画像）を初期状態画像として記憶しておき、当該初期状態画像と、画像処理部５１ａから出力された画像とを比較することで、検出ライン６が異物によって遮蔽されているか否かを判定するように構成される。遮蔽判定部５１ｂは、例えば、初期状態画像と、画像処理部５１ａから出力された画像とを比較し、抽出した検出ライン６のエッジの差分や検出ライン６の面積の差分が予め設定した異物判定閾値を超えたとき、遮蔽状態であると判定するように構成される。
【００３９】
挟み込み防止部５２は、駆動機構４による窓ガラス３の移動時に検出部５１によって遮蔽状態が検出されたとき、窓ガラス３による挟み込みを防止するための挟み込み防止動作を駆動機構４に行わせる。挟み込み防止動作としては、窓ガラス３の移動を停止させる動作や、窓ガラス３を安全な位置まで下降させる動作や、車室内に設置した警報装置による音や光により操作者に警告を行う動作や、これらを組み合わせた動作が含まれる。
【００４０】
また、制御部５は、スイッチ２４により窓ガラス３の移動が指示された後であって窓ガラス３の移動開始前に、検出手段５１によって遮蔽状態が検出されたとき、スイッチ２４からの指示を無効とする指示無効部５３をさらに備えている。指示無効部５３を備えることによって、遮蔽状態が検出されている際にはそもそも窓ガラス３が移動しないことになるため、安全性をより高めることができる。指示無効部５３は、本発明の指示無効手段の一態様である。
【００４１】
次に、カメラ７と検出ライン６の具体的な構成等について説明する。
【００４２】
図２は、ドア２を車室側の上方から見た概略図、図３は、ドア２を車両の前方側の下方から見た概略図、図４（ａ）は、カメラ７と検出ライン６の位置関係を示す説明図、図４（ｂ）は図４（ａ）のカメラを設けた部分の拡大図である。
【００４３】
図２〜４に示すように、本実施の形態に係る車両用窓ガラス昇降装置１では、カメラ７は、少なくとも１つのレンズを含む光学系７１と、光学系７１によって被写体像が結像される撮像素子７２と、を有しており、光学系７１は、ドアトリム２３の上面Ｓに形成された開口２３ａに対応する位置に、光学系７１の光軸Ｃが開口２３ａを通るように配置されている。
【００４４】
つまり、本実施の形態では、カメラ７がドアトリム２３の上面Ｓに設けられている。ここで、ドアトリム２３の上面Ｓとは、ドアトリム２３の上端部における外面のことであり、鉛直方向の上方から視認可能な面である。ドアトリム２３の上面Ｓは、車幅方向（水平方向）に対して傾斜していてもよい。ドアトリム２３は、一般に、その上面Ｓの位置が、窓ガラス３の近傍、すなわち格納部２１から窓ガラス３が導出される導出口２１ａの近傍で最も高くなり、窓ガラス３から離れるほど低くなるように湾曲して形成されている。よって、ドアトリム２３の上面Ｓとは、ドアトリム２３における窓ガラス３（導出口２１ａ）の近傍の部分における外面（窓枠の下面に相当する部分）であるといえる。
【００４５】
開口２３ａは、導出口２１ａよりも車室内側に形成されており、カメラ７の光学系７１は、導出口２１ａの車室内側に光軸Ｃが位置するように配置されている。ここでは、図４（ａ）の断面図において光学系７１の光軸Ｃが鉛直方向と一致するようにカメラ７を配置しているが、光学系７１の光軸Ｃは鉛直方向に対して車両の前後方向や車幅方向に傾斜していてもよく、カメラ７の取付位置や所望の撮像範囲に応じて適宜調整するとよい。
【００４６】
本実施の形態では、カメラ７は、ドアトリム２３の上面Ｓにおける車両の前後方向の中央部（窓ガラス３に面したドアトリム２３の上面Ｓにおける中央部）に設けられた孔２３ｂに配置されている。ただし、カメラ７を設ける位置は、これに限定されるものではなく、車両の前方向あるいは後方向にずれた位置であっても構わない。
【００４７】
カメラ７は、全体として円柱状に形成されており、その先端部には、径方向外方に突出するフランジ７３が形成されている。カメラ７は、ドアトリム２３の上方から孔２３ｂに挿入され、フランジ７３を孔２３ｂの周縁に形成された凹部２３ｃに収容し、かつ、孔２３ｂの下方の周縁に設けられた係止爪２３ｄをカメラ７に設けられた溝（図示せず）に係合することで、ドアトリム２３に固定される。なお、ここでは、カメラ７の先端面とドアトリム２３の上面Ｓとを一致させるように構成しているが、カメラ７の先端面は、ドアトリム２３の上面Ｓから上方に突出していてもよいし、ドアトリム２３の上面Ｓよりも下方に位置していてもよい。また、ここでは、光学系７１の一部が開口２３ａの上方に位置するようにカメラ７を配置しているが、光学系７１が開口２３ａの下方に位置するようにカメラ７を配置しても構わない。また、カメラ７をドアトリム２３に固定する構造や、カメラ７の挿入方向については、特に限定するものではなく、適宜変更可能である。
【００４８】
カメラ７は、枠部２２のうち、後方立設部２２ａの少なくとも一部と、上方延設部２２ｃの全体と、前方立設部２２ｂの少なくとも一部とに亘って、連続して設けられた検出ライン６を撮像するように構成されることが望ましい。これは、窓ガラス３による挟み込みは、枠部２２の上部、すなわち、上方延設部２２ｃと、後方立設部２２ａおよび前方立設部２２ｂの上端部で最も発生し易いためである。
【００４９】
さらに、カメラ７は、その撮像範囲（視野角）が、窓ガラス３の移動領域の全てをカバーするように構成されることが望ましい。具体的には、窓ガラス３が完全に格納される場合には、カメラ７は、その視野角が、車両の後方側においては、鉛直方向上方から後方立設部２２ａの下端部まで、車両の前方側においては、鉛直方向上方から前方立設部２２ｂの下端部までの範囲をカバーするように設定されることが望ましい。また、窓ガラス３が完全に格納されない場合には、カメラ７は、その視野角が、鉛直方向上方から窓ガラス３を最下部に移動させた際の窓ガラス３の上端（上縁）と後方立設部２２ａの交差位置まで、車両の前方側においては、鉛直方向上方から窓ガラス３を最下部に移動させた際の窓ガラス３の上端（上縁）と前方立設部２２ｂとの交差位置までの範囲をカバーするように設定されることが望ましい。カメラ７で撮像される画像（トリミング後の画像）の一例を図５に示す。
【００５０】
カメラ７の光学系７１としては、上述の範囲での異物の検出を可能とすべく、広角レンズを用いることが望ましい。ここでは、光学系７１として、複数のレンズを組み合わせ、視野角が車両の前後方向で１８０°以上、取付ばらつきを考慮して１９０°の超広角レンズを用いた。
【００５１】
また、撮像素子７２としては、異物の検出を速やかに行うため、なるべく画像の読み出し速度が速いものを用いることが望ましい。本実施の形態では、撮像素子７２として、ＣＭＯＳ（Complementary MOS）イメージセンサを用いた。
【００５２】
検出ライン６は、枠部２２の内周縁面に沿って設定されており、全閉状態における窓ガラス３よりも車室内側に設定されている。窓ガラス３による挟み込みが発生し易い領域をカバーするため、検出ライン６は、後方立設部２２ａの少なくとも一部と、上方延設部２２ｃの全体と、前方立設部２２ｂの少なくとも一部とに亘って、連続して設定されることが望ましい。本実施の形態では、枠部２２全体の内周面、すなわち、後方立設部２２ａと前方立設部２２ｂと上方延設部２２ｃの全体の内周面に、窓ガラス３から車室内側に離間するように、検出ライン６を設定した。なお、枠部２２の内周縁面とは、枠部２２の窓ガラス３に臨む面であり、後方立設部２２ａにおける車両の前方側の面、前方立設部２２ｂにおける車両の後方側の面、上方延設部２２ｃの下方側の面である。つまり、枠体２２の内周縁面とは、枠体２２の外周面のうち窓ガラス３の近傍の部分である。
【００５３】
以下、カメラ７の光学系７１と検出ライン６との間で、異物が配置されたときに遮蔽状態となる位置を連続させた面を検出面９と呼称する。図４および図６に示すように、本実施の形態では、検出面９は、窓枠内、すなわち、ドアトリム２３の上面と枠部２２の内周縁面に囲まれた領域内に配置されることになる。検出面９は、光学系７１の具体的な構造にもよるが、光学系７１の中心（車幅方向、高さ方向、および車両の前後方向における中心）と検出ライン６とを結ぶ面と略等しくなる。
【００５４】
光源８は、検出ライン６の全体を照射するように構成される。ここでは、４つの光源８を用いて、枠部２２の全体の内周面に設定された検出ライン６に赤外線を照射するように構成したが、光源８の個数はこれに限定されるものではない。また、ここでは、カメラ７の近傍のドアトリム２３の上面Ｓに光源８を配置したが、光源８の配置はこれに限定されず、例えば枠部２２の内周面に光源８が配置されていてもよい。
【００５５】
カメラ７と窓ガラス３との車幅方向における距離ｄ１（光学系７１の外面中心と窓ガラス３との車幅方向における距離）、および、検出ライン６と窓ガラス３との車幅方向における距離ｄ２は、安全性と利便性を考慮して決定される。具体的には、安全性の観点から、想定される異物の侵入速度、カメラ７の読み出し速度、制御部５の演算速度（撮像してから異物侵入を判断するまでの時間）、および駆動機構４の窓ガラス３の移動を停止する速度（窓ガラス３を停止する時間）を考慮し、十分に挟み込みが回避できる位置に検出ライン６を設定することが望ましい。また、乗車時のシート位置や搭乗者の体格によっては、人体の一部がカメラ７と検出ライン６との間に位置してしまうことも考えられるため、利便性の観点からは、カメラ７と検出ライン６はなるべく窓ガラス３の近傍に配置することが望ましい。これらのことを考慮し、安全性を十分確保できる距離と利便性を損なわない距離とがそれぞれ重なる領域において、距離ｄ１，ｄ２を決定するとよい。
【００５６】
例えば、カメラ７の読み出し速度を４００ｆｐｓ（フレーム／秒、１フレーム２．５ｍｓ）とし、撮像してから異物侵入を判断する時間を１０ｍｓ（明るさの補正処理等に最大７．５ｍｓ、異物の検出処理に２．５ｍｓ要すると仮定）とし、窓ガラス３を停止する時間を２０ｍｓとした場合、撮像後３０ｍｓで窓ガラス３が停止されることになる。この場合、異物の侵入速度を１ｍ／ｓとすると、異物は３０ｍｓの間に３０ｍｍ移動することになるため、距離ｄ１，ｄ２を３０ｍｍ以上（検出面９と窓ガラス３との車幅方向の距離を３０ｍｍ以上）とすることで、窓ガラス３の移動領域の全体において、異物が窓ガラス３に接触する前に窓ガラス３を停止し、十分な安全性を確保できることになる。
【００５７】
他方、本発明者が実際に複数の車種に対して検証を行ったところ、距離ｄ１，ｄ２を２５〜３０ｍｍとすることで、十分な利便性を確保できることが確認できた。一例として、窓ガラス３からドアトリム２３の車室内側の端部（端面）までの距離ｄ３（図４（ａ）参照）と、窓ガラス３から上方延設部２２ｃの車室内側の端部（端面）までの距離ｄ４（図４（ａ）参照）の異なる２種の車両に対する利便性の検証結果を表１に示す。なお、表１では、従来例として、窓枠よりも車室内側の位置（窓ガラス３よりも車両の前方側の下方）にカメラ７を設置した場合の利便性の検証結果もあわせて示している。また、表１では、本発明におけるカメラ７と窓ガラス３との車幅方向における距離ｄ１を３０ｍｍとし、従来例におけるカメラ７と窓ガラス３との車幅方向における距離を５０ｍｍとしている。検出ライン６と窓ガラス３との車幅方向における距離ｄ２については、本発明と従来例の両者とも３０ｍｍとした。
【００５８】
【表１】
0005886466.tif 000002
【００５９】
表１に示すように、カメラ７と窓ガラス３との車幅方向における距離ｄ１を３０ｍｍとした本発明では、シート位置にかかわらず、搭乗者が存在（着座）している際に異物が検出されることがなかった。これに対して従来例では、シート位置を前側とした場合に、搭乗者の体格によっては、搭乗者が存在（着座）している際に搭乗者の体の一部がカメラ７と検出ライン６との間に位置してしまい、窓ガラス３による挟み込みのおそれがないにもかかわらず異物が検出されてしまう結果となった。本発明者がさらに検証を進めたところ、ドアトリム２３の上面Ｓの幅が４０ｍ程度（例えば３０〜５０ｍｍ）の車両においては、距離ｄ１，ｄ２を２５〜３０ｍｍとすることで、十分な利便性を確保できることが確認できた。
【００６０】
以上の結果より、安全性の観点からは、距離ｄ１，ｄ２は３０ｍｍ以上であることが望ましく、利便性の観点からは、距離ｄ１，ｄ２は２５〜３０ｍｍであることが望ましい。よって、この場合、距離ｄ１，ｄ２は３０ｍｍに設定することが望ましいといえる。
【００６１】
なお、上記の安全性の検証においては、異物の侵入速度を１ｍ／ｓとしたが、例えば、高齢者の体の一部等の挟み込みを抑制するという観点から、異物の侵入速度を０．５ｍ／ｓとした場合には、距離ｄ１，ｄ２を１４．５ｍｍ以上とすることで、異物が窓ガラス３に接触する前に窓ガラス３を停止できることになる。また、異物の侵入速度を１ｍ／ｓとした場合であっても、例えば、カメラ７の読み出し速度が１０００ｆｐｓ（１フレーム１ｍｓ）に向上した場合には、距離ｄ１，ｄ２を２４ｍｍ以上とすることで、異物が窓ガラス３に接触する前に窓ガラス３を停止できることになる。さらに、適用する車両のドアトリム２３の幅や車室の広さによっては、距離ｄ１，ｄ２を３０ｍｍ以上とした場合であっても、十分な利便性を確保できる場合も考えられる。このように、距離ｄ１，ｄ２は、要求される安全性や、使用する部材（カメラ７や駆動機構４等）の性能等に応じて、適宜設定することが可能である。なお、検出ライン６と窓ガラス３との距離ｄ２は、一定でなくともよい。
【００６２】
検出ライン６は、赤外光を照射したときに周囲の部材と異なる輝度となるように構成される。例えば、ドア２を閉じたときにドア２を構成する金属（板金）と車体側のゴム部材（ウエスト）とが隣接する場合、それらの境界（すなわちドア２と車体の境界）を検出ライン６として用いることができる。また、枠部２２の内周面が樹脂で構成されている場合には、当該樹脂の一部に凹凸を設けて赤外線の反射率が周囲と異なるラインを形成し、このラインを検出ライン６として用いることも可能である。なお、これに限らず、検出ライン６は、赤外線の反射率が高い塗料を枠部２２の内周面に塗布して構成されてもよいし、赤外線を照射したときの輝度が周囲と異なる既存の部材から構成されてもよい。
【００６３】
なお、本実施の形態においては、窓ガラス３の下降中においても、遮蔽状態が検出されたときには、挟み込み防止動作を行うように構成されている。これは、窓ガラス３を下降している際に指等の人体の一部が導出口２１ａに巻き込まれてしまうことを抑制するためである。導出口２１ａの周囲には、格納部２１（ドア２の内部空間）への水等の侵入を抑止すべく、窓ガラス３に摺接するリップシール３０ａを有するウェザーストリップ３０が設けられているが、窓ガラス３の下降時には、このリップシール３０ａを巻き込みつつ衣類や指等の人体の一部が格納部２１側に巻き込まれてしまうおそれがある。本実施の形態によれば、このような巻き込みを抑制し、より安全性を高めることが可能である。なお、窓ガラス３の下降中に遮蔽状態が検出された際に実行される挟み込み防止動作には、窓ガラス３を下降させる動作は含まない。
【００６４】
次に、車両用窓ガラス昇降装置１の制御フローについて説明する。
【００６５】
図７に示すように、車両用窓ガラス昇降装置１では、まず、ステップＳ１にて、制御部５が、スイッチ２４から信号が入力されたかを判断する。ステップＳ１にてＮＯと判断された場合、ステップＳ２にて、制御部５が、カメラ７の電源をオフ（または電源オフの状態を継続）して、ステップＳ１に戻る。なお、図示していないが、光源８の電源がオンとなっている場合には、ステップＳ２にて光源８の電源をオフにする。
【００６６】
ステップＳ１にてＹＥＳと判断された場合、ステップＳ３にて、制御部５が、カメラ７の電源をオン（または電源オンの状態を継続）し、ステップＳ４に進む。ここでは図示を省略しているが、カメラ７で撮像するための照度が不足している場合には、ステップＳ３にて光源８の電源をオンにする。
【００６７】
ステップＳ４では、検出部５１（画像処理部５１ａおよび遮蔽状態判定部５１ｂ）が、カメラ７で撮像した画像を基に、遮蔽状態を検出する処理（遮蔽状態検出処理）を行う。その後、ステップＳ５にて、指示無効部５３が、検出部５１により遮蔽状態が検出されたかを判断する。
【００６８】
ステップＳ５でＹＥＳと判断された場合、指示無効部５３は、窓ガラス３による挟み込みのおそれがあると判断し、窓ガラス３の移動を行わずに（すなわちスイッチ２４からの信号を無効として）ステップＳ１に戻る。
【００６９】
ステップＳ５にてＮＯと判断された場合、ステップＳ６にて、制御部５が、スイッチ２４から入力された信号が、第１段階クリック信号（下降側第１段階クリック信号または上昇側第１段階クリック信号）であるかを判断する。
【００７０】
ステップＳ６でＹＥＳと判断された場合、ステップＳ７にて、制御部５が、駆動機構４を制御して、窓ガラス３の移動制御を行う。
【００７１】
その後、ステップＳ８にて、検出部５１が、カメラ７で撮像した画像を基に、遮蔽状態を検出する処理（遮蔽状態検出処理）を行う。その後、ステップＳ９にて、挟み込み防止部５２が、検出部５１により遮蔽状態が検出されたかを判断する。
【００７２】
ステップＳ９でＹＥＳと判断された場合、窓ガラス３による挟み込みのおそれがあるため、ステップＳ１０にて、挟み込み防止部５２が、窓ガラス３の移動を停止させる、あるいは、窓ガラス３を安全な位置まで下降させる等の挟み込み防止動作を実行する。その後、ステップＳ１８にて制御部５が窓ガラス３の移動を終了した後に、ステップＳ２に戻る。このように、本実施の形態では、スイッチ２４から第１段階クリック信号の入力中に遮蔽状態が検出された場合には、挟み込み防止動作を行った後に窓ガラス３の移動を終了する。
【００７３】
ステップＳ９でＮＯと判断された場合、窓ガラス３による挟み込みのおそれはないので、ステップＳ１１にて、制御部５が、スイッチ２４から信号が入力されているかを判断する。ステップＳ１１でＮＯと判断された場合、スイッチ２４の操作が終了したことになるので、ステップＳ１８にて制御部５が窓ガラス３の移動を終了した後に、ステップＳ２に戻る。ステップＳ１１でＹＥＳと判断された場合、ステップＳ６に戻り、窓ガラス３の移動を継続する。
【００７４】
他方、ステップＳ６でＮＯと判断された場合、すなわち、スイッチ２４から第２段階クリック信号（下降側第２段階クリック信号または上昇側第２段階クリック信号）が入力された場合、ステップＳ１２にて、制御部５が、駆動機構４を制御して、窓ガラス３の移動制御を行う。
【００７５】
その後、ステップＳ１３にて、検出部５１が、カメラ７で撮像した画像を基に、遮蔽状態を検出する処理（遮蔽状態検出処理）を行う。その後、ステップＳ１４にて、挟み込み防止部５２が、検出部５１により遮蔽状態が検出されたかを判断する。
【００７６】
ステップＳ１４でＹＥＳと判断された場合、窓ガラス３による挟み込みのおそれがあるため、ステップＳ１５にて、挟み込み防止部５２が挟み込み防止動作を実行する。その後、ステップＳ１８にて窓ガラス３の移動を終了した後に、ステップＳ２に戻る。つまり、本実施の形態では、スイッチ２４から第２段階クリック信号が入力され窓ガラス３を移動させている際に遮蔽状態が検出された場合には、挟み込み防止動作を行った後に窓ガラス３の移動を終了する。
【００７７】
ステップＳ１４でＮＯと判断された場合、窓ガラス３による挟み込みのおそれはないので、ステップＳ１６にて、制御部５が、窓ガラス３が端まで（上端または下端の位置まで）移動されたかを判断する。ステップＳ１６でＹＥＳと判断された場合、ステップＳ１８にて、制御部５が窓ガラス３の移動を終了した後に、ステップＳ２に戻る。なお、窓ガラス３の位置情報は、モータ４１の内部に組み込んだホールＩＣを用いて生成した回転パルス、または電流リップルを用いて取得するとよい。
【００７８】
ステップＳ１６でＮＯと判断された場合、ステップＳ１７にて、スイッチ２４から新たな信号が入力されたか（第２段階クリック信号の入力後に新たな信号が入力されたか）を判断する。ステップＳ１７でＹＥＳと判断された場合、ステップＳ６に戻る。ステップＳ１７でＮＯと判断された場合、ステップＳ１２に戻り、窓ガラス３の移動を継続する。つまり、第２段階クリック信号が入力された場合、遮蔽状態が検出されるか、窓ガラス３が端まで移動するか、あるいは新たな信号がスイッチ２４から入力されるまで、窓ガラス３の移動を継続する。
【００７９】
（実施の形態の作用及び効果）
以上説明したように、本実施の形態に係る車両用窓ガラス昇降装置１では、枠部２２の少なくとも一部に沿って窓ガラス３よりも車室内側に設けられた検出ライン６を撮像するカメラ７を備え、カメラ７の光学系７１は、格納部２１の車室内側に取り付けられたドアトリム２３の上面Ｓに形成された開口２３ａに対応する位置に、光学系７１の光軸Ｃが開口２３ａを通るように配置されている。
【００８０】
このように構成することで、窓ガラス３のより近くにカメラ７を配置できるため、異物の検知エリアをより窓ガラス３の近くに設定して、窓ガラス３による挟み込みのおそれがないにもかかわらず、挟み込み防止動作が行われてしまうといった不具合を抑制でき、安全性を確保したままで利便性を向上することが可能になる。また、枠部２２に設けられた検出ライン６を監視することで、窓ガラス３の移動領域の全体を検出範囲とすることも可能になる。
【００８１】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００８２】
［１］窓ガラス（３）を格納する格納部（２１）ならびに前記格納部（２１）の上方に設けられた枠部（２２）を有する車両のドア（２）に配置され、前記枠部（２２）に対して前記窓ガラス（３）を上下方向に移動させる駆動機構（４）と、前記駆動機構（４）を制御する制御部（５）と、前記枠部（２２）の少なくとも一部に沿って前記窓ガラス（３）よりも車室内側に設けられた検出ライン（６）を撮像するカメラ（７）と、を備え、前記カメラ（７）は、少なくとも１つのレンズを含む光学系（７１）と、前記光学系（７１）によって被写体像が結像される撮像素子（７２）とを有し、前記制御部（５）は、前記カメラ（７）によって撮像された前記検出ライン（６）の少なくとも一部が異物によって遮蔽された遮蔽状態を検出する検出手段（５１）と、前記駆動機構（４）による前記窓ガラス（３）の移動時に前記検出手段（５１）によって前記遮蔽状態が検出されたとき、前記窓ガラス（３）による挟み込みを防止するための挟み込み防止動作を前記駆動機構（４）に行わせる挟み込み防止手段（５２）とを有し、前記光学系（７１）は、前記格納部（２１）の車室内側に取り付けられたドアトリム（２３）の上面（Ｓ）に形成された開口（２３ａ）に対応する位置に、前記光学系（７１）の光軸（Ｃ）が前記開口（２３ａ）を通るように配置されている、車両用窓ガラス昇降装置（１）。
【００８３】
［２］前記カメラ（７）は、前記格納部（２１）から前記窓ガラス（３）が導出される導出口（２１ａ）の車室内側に前記光軸が位置するように前記光学系（７１）が配置されている、［１］に記載の車両用窓ガラス昇降装置（１）。
【００８４】
［３］前記枠部（２２）は、前記車両の前後方向における前記格納部（２１）の後側の端部から上方に延びる後方立設部（２２ａ）と、前記後方立設部（２２ａ）よりも前記前後方向における前側で前記格納部（２１）から上方に延びる前方立設部（２２ｂ）と、前記後方立設部（２２ａ）の上端部から前記前方立設部（２２ｂ）の上端部に至る上方延設部（２２ｃ）とを含み、前記カメラ（７）は、前記枠部（２２）のうち、前記後方立設部（２２ａ）の少なくとも一部と、前記上方延設部（２２ｃ）の全体と、前記前方立設部（２２ｂ）の少なくとも一部とに亘って、連続して設けられた前記検出ライン（６）を撮像する、［２］に記載の車両用窓ガラス昇降装置（１）。
【００８５】
［４］前記ドアトリム（２３）の上面（Ｓ）に配置され、前記検出ライン（６）に向かって赤外光を照射する光源（８）をさらに備え、前記カメラ（７）は、前記光源（８）から照射されて前記検出ライン（６）で反射した赤外光を撮像する赤外線カメラである、［１］乃至［３］の何れかに記載の車両用窓ガラス昇降装置（１）。
【００８６】
［５］前記制御部（５）は、前記窓ガラス（３）の移動が指示された後であって前記窓ガラス（３）の移動開始前に、前記検出手段（５１）によって前記遮蔽状態が検出されたとき、前記指示を無効とする指示無効手段（５３）をさらに備える、［１］乃至［４］の何れかに記載の車両用窓ガラス昇降装置（１）。
【００８７】
［６］窓ガラス（３）を格納する格納部（２１）ならびに前記格納部（２１）の上方に設けられた枠部（２２）を有する車両用ドア（２）であって、前記格納部（２１）の車室内側に取り付けられたドアトリム（２３）と、前記枠部（２２）に対して前記窓ガラス（３）を上下方向に移動させる駆動機構（４）と、前記駆動機構（４）を制御する制御部（５）と、前記枠部（２２）の少なくとも一部に沿って前記窓ガラス（３）よりも車室内側に設けられた検出ライン（６）を撮像するカメラ（７）と、を備え、前記カメラ（７）は、少なくとも１つのレンズを含む光学系（７１）と、前記光学系（７１）によって被写体像が結像される撮像素子（７２）とを有し、前記制御部（５）は、前記カメラ（７）によって撮像された前記検出ライン（６）の少なくとも一部が異物によって遮蔽された遮蔽状態を検出する検出手段（５１）と、前記駆動機構（４）による前記窓ガラス（３）の移動時に前記検出手段（５１）によって前記遮蔽状態が検出されたとき、前記窓ガラス（３）による挟み込みを防止するための挟み込み防止動作を前記駆動機構（４）に行わせる挟み込み防止手段（５２）とを有し、前記ドアトリム（２３）には、その上面（Ｓ）に開口（２３ａ）が形成され、前記光学系（７１）は、前記開口（２３ａ）に対応する位置に、前記光学系（７１）の光軸（Ｃ）が前記開口（２３ａ）を通るように配置されている、車両用ドア（２）。
【００８８】
［７］前記ドアトリム（２３）には、前記格納部（２１）から前記窓ガラス（３）が導出される導出口（２１ａ）よりも車室内側に前記開口（２３ａ）が形成されている、［６］に記載の車両用ドア（２）。
【００８９】
［８］前記枠部（２２）は、前記車両の前後方向における前記格納部（２１）の後側の端部から上方に延びる後方立設部（２２ａ）と、前記後方立設部（２２ａ）よりも前記前後方向における前側で前記格納部（２１）から上方に延びる前方立設部（２２ｂ）と、前記後方立設部（２２ａ）の上端部から前記前方立設部（２２ｂ）の上端部に至る上方延設部（２２ｃ）とを含み、前記検出ライン（６）は、前記後方立設部（２２ａ）の少なくとも一部と、前記上方延設部（２２ｃ）の全体と、前記前方立設部（２２ｂ）の少なくとも一部とに亘って、連続して設けられている、［７］に記載の車両用ドア（２）。
【００９０】
［９］前記ドアトリム（２３）の上面（Ｓ）に配置され、前記検出ライン（６）に向かって赤外光を照射する光源（８）をさらに備え、前記カメラ（７）は、前記光源（８）から照射されて前記検出ライン（６）で反射した赤外光を撮像する赤外線カメラである、［６］乃至［８］の何れかに記載の車両用ドア（２）。
【００９１】
［１０］前記制御部（５）は、前記窓ガラス（３）の移動が指示された後であって前記窓ガラス（３）の移動開始前に、前記検出手段（５１）によって前記遮蔽状態が検出されたとき、前記指示を無効とする指示無効手段（５３）をさらに備える、［６］乃至［９］の何れかに記載の車両用ドア（２）。
【００９２】
［１１］［６］乃至［１０］の何れかに記載の車両用ドア（２）を備えた車両。
【００９３】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００９４】
本発明は、その趣旨を逸脱しない範囲で適宜変形して実施することが可能である。例えば、上記実施の形態では言及しなかったが、車両用窓ガラス昇降装置１には、モータ４１の回転数を監視し、窓ガラス３の上昇中に負荷が増加しモータ４１の回転数が減少したときに、窓ガラスによる異物の挟み込みが発生したと判定し、窓ガラス３の移動方向を反転させ自動で下降させる等の各種安全動作を行わせる安全装置が備えられてもよい。
【００９５】
また、上記実施の形態では、車両の後側のドア２に適用する場合について説明したが、これに限定されるものではなく、本発明は車両の前側のドアにも適用可能である。
【符号の説明】
【００９６】
１…車両用窓ガラス昇降装置
２…ドア（車両用ドア）
２１…格納部
２２…枠部
２３…ドアトリム
２３ａ…開口
３…窓ガラス
４…駆動装置
５…制御部
５１…検出部（検出手段）
５２…挟み込み防止部（挟み込み防止手段）
６…検出ライン
７…カメラ
【要約】
【課題】利便性を損なうことなく、窓ガラスによる挟み込みを防止することが可能な車両用窓ガラス昇降装置、車両用ドア、および車両を提供する。
【解決手段】窓ガラス３を格納する格納部２１の上方に枠部２２を有する車両のドア２に配置され窓ガラス３を移動させる駆動機構４と、駆動機構４を制御する制御部５と、枠部２２に沿って設けられた検出ライン６を撮像するカメラ７とを備え、制御部５は、カメラ７で撮像された検出ライン６が異物によって遮蔽された遮蔽状態を検出する検出部５１と、窓ガラス３の移動時に遮蔽状態が検出されたとき、窓ガラス３による挟み込みを防止する動作を駆動機構４に行わせる挟み込み防止部５２とを有し、カメラ７の光学系７１は、格納部２１の車室内側に取り付けられたドアトリム２３の上面Ｓに形成された開口２３ａに対応する位置に、光学系７１の光軸Ｃが開口２３ａを通るように配置される。
【選択図】図１【図１】
0005886466.tif 000003
【図２】
0005886466.tif 000004
【図３】
0005886466.tif 000005
【図４】
0005886466.tif 000006
【図５】
0005886466.tif 000007
【図６】
0005886466.tif 000008
【図７】
0005886466.tif 000009